(57)【要約】【課題】ＡＤＳＬスプリッタフィルタ回路でのローパスフィルタ部のトランス構造のインダクタのインピーダンスの偏差が軽減され、対地不平衡信号減衰量が改善されたＡＤＳＬスプリッタフィルタ回路用インダクタおよびＡＤＳＬスプリッタフィルタ回路を提供する。【解決手段】磁性体の周辺部に密着して、分割された第１のインダクタＬ１が、その所要全ターン数のほぼ５０％まで巻かれ、ついで密着して第２のインダクタＬ２の巻線が、所要全ターン数のほぼ５０％まで巻かれ、その上に、絶縁スペーサ４が巻かれ、前記絶縁スペーサ４に密着して前記第２のインダクタＬ２の巻線が、残りのターン数だけ巻かれ、さらに前記第１のインダクタＬ１の巻線が、残りのターン数だけ巻かれて形成されたＡＤＳＬスプリッタフィルタ回路用インダクタとする。【選択図】  図２
2004356243.tif 000002
【特許請求の範囲】
【請求項１】
トランス構造のＡＤＳＬスプリッタフィルタ回路用インダクタであって、第１のインダクタの全ターン数をＮ１、第２のインダクタの全ターン数をＮ２とし、磁性体の周辺部に密着して、前記第１のインダクタの巻線が、その全ターン数Ｎ１のａ％のターン数まで巻かれ、ついで密着して前記第２のインダクタの巻線が巻かれ、全ターン数Ｎ２を複数分割して、分割した巻線の層の間に、各々絶縁スペーサを配置し、第２のインダクタの最外郭の巻線の層に密着して、前記第１のインダクタの残りの（１００−ａ）％、が巻かれて形成されたことを特徴とするＡＤＳＬスプリッタフィルタ回路用インダクタ。
【請求項２】
トランス構造のＡＤＳＬスプリッタフィルタ回路用インダクタであって、磁性体の周辺部に密着して、前記第１のインダクタの巻線が、その所要全ターン数のほぼ５０％まで巻かれ、密着して前記第２のインダクタの巻線が、所要全ターン数のほぼ５０％まで巻かれ、その上に、前記絶縁スペーサが巻かれ、前記絶縁スペーサに密着して前記第２のインダクタの巻線が、残りのターン数だけ巻かれ、さらに前記第１のインダクタの巻線が、残りのターン数だけ巻かれて形成されたことを特徴とするＡＤＳＬスプリッタフィルタ回路用インダクタ。
【請求項３】
ローパスフィルタ回路と、直流カットコンデンサとで構成されるＡＤＳＬスプリッタフィルタ回路であって、前記ローパスフィルタ回路の構成は、電話回線側から、一方のラインに配置された第１のインダクタと、他方のラインに配置された第２のインダクタと、ライン間に配置されたコンデンサとで構成されており、前記第１のインダクタと前記第２のインダクタとは、トランス構造であり、また電話回線側から、第１の直流カットコンデンサと第２の直流カットコンデンサを介して、モデム側に接続されており、前記トランス構造の第１のインダクタと、第２のインダクタは、請求項１または２に記載のＡＤＳＬスプリッタフィルタ回路用インダクタであることを特徴とするＡＤＳＬスプリッタフィルタ回路。
【請求項４】
前記ローパスフィルタ回路が２段であって、前記ローパスフィルタ回路は、電話回線側から、ラインごとに配置されたトランス構造のインダクタＬ１と、インダクタＬ２と、ライン間に配置されたコンデンサＣ１とで構成される１段目のローパスフィルタ回路と、ラインごとに配置されたトランス構造のインダクタＬ３と、インダクタＬ４と、ライン間に配置されたコンデンサＣ２とで構成される２段目のローパスフィルタ回路とで構成されており、また電話回線側から、第１の直流カットコンデンサＣ３と第２の直流カットコンデンサＣ４を介して、モデム側に接続されており、前記トランス構造のインダクタＬ１と、インダクタＬ２は、請求項１または２に記載のＡＤＳＬスプリッタフィルタ回路用インダクタとし、また、前記トランス構造のインダクタＬ３と、インダクタＬ４は、請求項１または２に記載のＡＤＳＬスプリッタフィルタ回路用インダクタとすることを特徴とするＡＤＳＬスプリッタフィルタ回路。
【発明の詳細な説明】
【０００１】
【発明の属する技術分野】
本発明は、主としてＡＤＳＬ用回線にて使用されるのに好適な、ＡＤＳＬスプリッタフィルタ回路用インダクタおよびＡＤＳＬスプリッタフィルタ回路に関する。
【０００２】
【従来の技術】
従来のトランスについては、特許文献１に記載されている。特許文献１において、磁性コアに１次コイルと２次コイルとが個別に巻かれた構造のトランスについて記載されている。
【０００３】
このトランスの１次コイル、および２次コイルを、それぞれ個別のインダクタとして各種デバイスに使用することは、従来から公知として知られている。
【０００４】
図４は、図１の回路図での、従来のトランス構造のインダクタの構造の説明図である。
【０００５】
図４の従来のトランス構造のインダクタは、磁性体コア１、第１のインダクタＬ１、第２のインダクタＬ２１にて構成されるトランス構造のＡＤＳＬスプリッタフィルタ回路用インダクタであって、磁性体の周辺部に密着して、前記第１のインダクタの分割された第１のインダクタＬ１ａが、その所要全ターン数のほぼ５０％まで巻かれ、ついで密着して前記第２のインダクタＬ２１が巻かれ、さらに前記第１のインダクタの残りの分の分割された第１のインダクタＬ１ｂが巻かれて形成されている。この従来のトランス構造のインダクタは、ＡＤＳＬスプリッタフィルタ回路のローパスフィルタ回路のインダクタに使用されている。
【０００６】
図６は、ＡＤＳＬスプリッタフィルタ回路の説明図である。図６のＡＤＳＬスプリッタフィルタ回路は、電話回線側から、インダクタＬ１、Ｌ２からなるトランス構造のインダクタ１０と、ライン間に配置されたコンデンサＣ１とで構成される１段目のローパスフィルタと、インダクタＬ３、Ｌ４からなるトランス構造のインダクタ２０と、ライン間に配置されたコンデンサＣ２とで構成される２段目のローパスフィルタと、直流カット用コンデンサＣ３とＣ４とで構成されている。
【０００７】
【特許文献１】
実開平６−５０３２６号公報
【０００８】
【発明が解決しようとする課題】
近年、ＡＤＳＬ用回線にて、通信容量の高密度化に対応して、キャリア周波数を従来の１．１０４ＭＨｚ（データ転送速度８Ｍｂｐｓに対応する）から３．７５ＭＨｚ（データ転送速度５０Ｍｂｐｓに対応する）の仕様への移行が進んでいる。ここで、キャリア周波数が２ＭＨｚ以上となると、ＡＤＳＬスプリッタフィルタ回路にて、第２のインダクタの巻線の浮遊容量によって、インピーダンスの周波数特性にて、第１のインダクタのインピーダンスと、第２のインダクタのインピーダンスとの偏差が大となるという問題点があった。
【０００９】
図５は、従来のＡＤＳＬスプリッタフィルタ回路用インダクタのインピーダンスの周波数特性の説明図である。図５より、２ＭＨｚ以上の周波数帯域では、第１のインダクタのインピーダンスと第２のインダクタのインピーダンスとが、大幅に差が生じている。
【００１０】
また、図７は、ＡＤＳＬスプリッタフィルタ回路の対地不平衡信号減衰量対周波数特性の説明図である。従来特性は、対地不平衡信号減衰量の規格（−４０ｄＢ  ａｔ  ２５ｋＨｚから１．１０４ＭＨｚ）に関して、２ＭＨｚ以上では、前記規格を延長した場合を想定すると、対地不平衡信号減衰量ー４０ｄＢ以下を満足していない。
【００１１】
従って、本発明の目的は、  ＡＤＳＬスプリッタフィルタ回路でのローパスフィルタ部のトランス構造のインダクタのインピーダンスの偏差が軽減され、対地不平衡信号減衰量が改善されたＡＤＳＬスプリッタフィルタ回路用インダクタおよびＡＤＳＬスプリッタフィルタ回路を提供することである。
【００１２】
【課題を解決するための手段】
本発明は、  磁性体、第１のインダクタ、第２のインダクタ、絶縁スペーサにて構成されるトランス構造のＡＤＳＬスプリッタフィルタ回路用インダクタであって、第１のインダクタの全ターン数をＮ１、第２のインダクタの全ターン数をＮ２とし、磁性体の周辺部に密着して、前記第１のインダクタの巻線が、その全ターン数Ｎ１のａ％のターン数まで巻かれ、ついで密着して前記第２のインダクタの巻線が巻かれ、全ターン数Ｎ２を複数分割して、分割した巻線の層の間に、各々絶縁スペーサを配置し、第２のインダクタの最外郭の巻線の層に密着して、前記第１のインダクタの残りの（１００−ａ）％のターン数が巻かれて形成されたＡＤＳＬスプリッタフィルタ回路用インダクタとする。
【００１３】
また、本発明は、磁性体、第１のインダクタ、第２のインダクタ、絶縁スペーサにて構成されるトランス構造のＡＤＳＬスプリッタフィルタ回路用インダクタであって、磁性体の周辺部に密着して、前記第１のインダクタの巻線が、その所要全ターン数のほぼ５０％まで巻かれ、ついで密着して前記第２のインダクタの巻線が、所要全ターン数のほぼ５０％まで巻かれ、その上に、前記絶縁スペーサが巻かれ、前記絶縁スペーサに密着して前記第２のインダクタの巻線が、残りのターン数だけ巻かれ、さらに前記第１のインダクタの巻線が、残りのターン数だけ巻かれて形成されたＡＤＳＬスプリッタフィルタ回路用インダクタとする。
【００１４】
また、本発明は、ローパスフィルタ回路と、直流カットコンデンサとで構成されるＡＤＳＬスプリッタフィルタ回路であって、前記ローパスフィルタ回路の構成は、電話回線側から、一方のラインに配置された第１のインダクタと、他方のラインに配置された第２のインダクタと、ライン間に配置されたコンデンサとで構成されており、前記第１のインダクタと前記第２のインダクタとは、トランス構造であり、また電話回線側から、第１の直流カットコンデンサと第２の直流カットコンデンサを介して、モデム側に接続されており、前記トランス構造の第１のインダクタと、第２のインダクタは、前記ＡＤＳＬスプリッタフィルタ回路用インダクタとするＡＤＳＬスプリッタフィルタ回路である。
【００１５】
また、本発明は、ローパスフィルタ回路と、直流カットコンデンサとで構成されるＡＤＳＬスプリッタフィルタ回路であって、前記ローパスフィルタ回路は、電話回線側から、ラインごとに配置されたトランス構造のインダクタＬ１と、インダクタＬ２と、ライン間に配置されたコンデンサＣ１とで構成される１段目のローパスフィルタ回路と、ついで、ラインごとに配置されたトランス構造のインダクタＬ３と、インダクタＬ４と、ライン間に配置されたコンデンサＣ２とで構成される２段目のローパスフィルタ回路とで構成されており、また電話回線側から、直流カットコンデンサＣ３とＣ４を介して、モデム側に接続されており、前記トランス構造のインダクタＬ１と、インダクタＬ２は、前記のＡＤＳＬスプリッタフィルタ回路用インダクタとし、また、前記トランス構造のインダクタＬ３と、インダクタＬ４は、前記のＡＤＳＬスプリッタフィルタ回路用インダクタとするＡＤＳＬスプリッタフィルタ回路である。
【００１６】
【発明の実施の形態】
本発明の実施の形態によるＡＤＳＬスプリッタフィルタ回路用インダクタおよびＡＤＳＬスプリッタフィルタ回路について、以下に説明する。
【００１７】
本発明のＡＤＳＬスプリッタフィルタ回路用インダクタは、磁性体、第１のインダクタ、第２のインダクタ、絶縁スペーサにて構成されるトランス構造のＡＤＳＬスプリッタフィルタ回路用インダクタである。ここで、前記トランス構造のＡＤＳＬスプリッタフィルタ回路用インダクタでの第１のインダクタの全ターン数をＮ１、第２のインダクタの全ターン数をＮ２とし、磁性体の周辺部に密着して、前記第１のインダクタの巻線が、その全ターン数Ｎ１のａ％のターン数まで巻かれ、ついで密着して前記第２のインダクタの巻線が巻かれ、全ターン数Ｎ２を複数分割して、分割した巻線の層の間に、各々絶縁スペーサを配置し、第２のインダクタの最外郭の巻線の層に密着して、前記第１のインダクタの残りの（１００−ａ）％のターン数が巻かれた構成である。
【００１８】
また、本発明のＡＤＳＬスプリッタフィルタ回路は、ローパスフィルタ回路と、直流カットコンデンサとで構成されている。ここで、前記ローパスフィルタ回路の構成は、電話回線側から、一方のラインに配置された第１のインダクタと、他方のラインに配置された第２のインダクタと、ライン間に配置されたコンデンサとで構成されている。前記第１のインダクタと前記第２のインダクタとは、トランス構造であり、また、電話回線側から、第１の直流カットコンデンサと第２の直流カットコンデンサを介してモデム側にモデム側に接続されている。前記トランス構造の第１のインダクタと第２のインダクタは、先に説明したＡＤＳＬスプリッタフィルタ回路用インダクタとするものである。
【００１９】
【実施例】
図２は、本発明の実施例によるＡＤＳＬスプリッタフィルタ回路用インダクタの一例の説明図である。図２のＡＤＳＬスプリッタフィルタ回路用インダクタは、図１のトランス構造のインダクタの回路図を構成するものである。
【００２０】
図２のＡＤＳＬスプリッタフィルタ回路用インダクタは、Ｅ型コア２と、Ｉ型コア３とで構成される磁性体コア１と、第１のインダクタＬ１、第２のインダクタＬ２、絶縁スペーサ４にて構成されるトランス構造のＡＤＳＬスプリッタフィルタ回路用インダクタであって、Ｅ型コア２の中足部の周辺部に密着して、前記分割された第１のインダクタＬ１ａの巻線が、その所要全ターン数のほぼ５０％まで巻かれている。
【００２１】
ついで、密着して前記分割された第２のインダクタＬ２ａの巻線が、所要全ターン数のほぼ５０％まで巻かれ、その上に、前記絶縁スペーサ４が巻かれ、前記絶縁スペーサ４に密着して前記分割された第２のインダクタＬ２ｂの巻線が、残りのターン数だけ巻かれている。さらに、前記分割された第１のインダクタＬ１ｂの巻線が、残りのターン数だけ巻かれて形成されている。
【００２２】
ここで、絶縁スペーサ４は、耐燃性、耐熱性を満足する構造であれば良い。例えば、ポリエステル、ポリイミド、マイカ、ガラス布等が使用される。
【００２３】
図３は、図２のＡＤＳＬスプリッタフィルタ回路用インダクタのインピーダンスの周波数特性の説明図である。図３より、２ＭＨｚ以上の周波数帯域にて、第１のインダクタのインピーダンスと第２のインダクタのインピーダンスとが、整合されていることが示されている。これは、インダクタＬ２にて、絶縁スペーサを配置したことによって、浮遊容量が、減少したことの効果である。
【００２４】
ここで、図２のＡＤＳＬスプリッタフィルタ回路用インダクタを、図６に示すＡＤＳＬスプリッタフィルタ回路のトランス構造のインダクタ１０、および２０に使用する。
【００２５】
即ち、図６のＡＤＳＬスプリッタフィルタ回路は、２段のローパスフィルタ回路と、直流カットコンデンサとで構成されるＡＤＳＬスプリッタフィルタ回路であって、前記ローパスフィルタ回路は、電話回線側から、ラインごとに配置されたトランス構造のインダクタＬ１と、インダクタＬ２と、ライン間に配置されたコンデンサＣ１とで構成される１段目のローパスフィルタ回路と、ついで、ラインごとに配置されたトランス構造のインダクタＬ３と、インダクタＬ４と、ライン間に配置されたコンデンサＣ２とで構成される２段目のローパスフィルタ回路とで構成されており、また電話回線側から、直流カットコンデンサＣ３とＣ４を介して、モデム側に接続されている。
【００２６】
前記トランス構造のインダクタＬ１とインダクタＬ２は、前記ＡＤＳＬスプリッタフィルタ回路用インダクタの、第１のインダクタ、第２のインダクタとし、また、前記トランス構造のインダクタＬ３とインダクタＬ４は、前記のＡＤＳＬスプリッタフィルタ回路用インダクタの、第１のインダクタ、第２のインダクタとするＡＤＳＬスプリッタフィルタ回路である。
【００２７】
図７は、ＡＤＳＬスプリッタフィルタ回路の対地不平衡信号減衰量対周波数特性の説明図である。図７に示すように、周波数が２ＭＨｚ以上でも、規格を満足していることが判る。
【００２８】
なお、インダクタＬ２の浮遊容量値を低減する手段としては、絶縁スペーサ４を用いなくても、直接、巻線を、精密に整列巻きを行えば、インダクタＬ２の浮遊容量値を低減できることは知られている。しかし、前記巻線の精密な整列巻きは、製造コストが高くなり、実用的でない。従って、本発明のごとく、絶縁スペーサ４を用いる構造が、製造コストが安価であり、量産に適する。
【００２９】
また、本発明の実施例では、ＡＤＳＬスプリッタフィルタ回路用インダクタの磁性体コアとして、Ｅ型コア、Ｉ型コアの例を示したが、他の例として、ポット型のコアでも同様の効果が得られる。
【００３０】
【発明の効果】
本発明によれば、  ＡＤＳＬスプリッタフィルタ回路にて、  ローパスフィルタ部のトランス構造のインダクタのインピーダンスの偏差を軽減し、対地不平衡信号減衰量を改善したＡＤＳＬスプリッタフィルタ回路用インダクタおよびＡＤＳＬスプリッタフィルタ回路を提供することができる。
【図面の簡単な説明】
【図１】トランス構造のインダクタの回路図。
【図２】本発明の実施例によるＡＤＳＬスプリッタフィルタ回路用インダクタの説明図。
【図３】図２のＡＤＳＬスプリッタフィルタ回路用インダクタのインピーダンスの周波数特性の説明図。
【図４】従来のトランス構造のインダクタの説明図。
【図５】従来のＡＤＳＬスプリッタフィルタ回路用インダクタのインピーダンスの周波数特性の説明図。
【図６】ＡＤＳＬスプリッタフィルタ回路の説明図。
【図７】ＡＤＳＬスプリッタフィルタ回路の対地不平衡信号減衰量対周波数特性の説明図。
【符号の説明】
１    磁性体コア
２    Ｅ型コア
３    Ｉ型コア
４    絶縁スペーサ
１０，２０    トランス構造のインダクタ
Ａ，Ｂ    第１のインダクタの端子
Ｃ，Ｄ    第２のインダクタの端子
Ｃ１，Ｃ２，Ｃ３，Ｃ４    コンデンサ
Ｌ１      （第１の）インダクタ
Ｌ１ａ，Ｌ１ｂ    分割された第１のインダクタ
Ｌ２，Ｌ２１    （第２の）インダクタ
Ｌ２ａ，Ｌ２ｂ    分割された第２のインダクタ
Ｌ３，Ｌ４    インダクタ
Ｘ    （第１のインダクタの）中間端子
【図１】
2004356243.tif 000003
【図２】
2004356243.tif 000004
【図３】
2004356243.tif 000005
【図４】
2004356243.tif 000006
【図５】
2004356243.tif 000007
【図６】
2004356243.tif 000008
【図７】
2004356243.tif 000009